(57)【要約】【課題】鏡筒の位置安定のためのバネに対して常に一定の荷重がかかるようにして長寿命化を図ったカメラモジュールを提供する。【解決手段】本体部２は底部上面に本体段差部２１を備え、鏡筒７は底面に突起部３０を備えると共に、回転動作に伴って突起部３０が本体段差部２１に沿って移動することで鏡筒７が上下方向に動作自在とされ、本体部２は鏡筒７の上面を下方に付勢する弾性部６０を備え、弾性部６０は周方向所定位置で鏡筒７を付勢する押圧部６１を有し、鏡筒７は突起部３０が本体段差部２１に当接する周方向位置において弾性部６０の押圧部６１に付勢される上面位置に本体段差部２１と略同じ高さの鏡筒段差部５１を備え、鏡筒段差部５１により鏡筒７が上下方向に動作しても押圧部６１の上下方向位置が不変となるようにした。【選択図】図２
2007140243.tif 000002
【特許請求の範囲】
【請求項１】
レンズを納めた鏡筒と、該鏡筒を収容する本体部とを有し、上記鏡筒は上記本体部に対する周方向の回転に伴って上記レンズの光軸方向に移動可能なカメラモジュールにおいて、
上記本体部は底部上面に本体段差部を備え、上記鏡筒は底面に突起部を備えると共に、回転動作に伴って上記突起部が上記本体段差部に沿って移動することで上記鏡筒が上下方向に動作自在とされ、
上記本体部は上記鏡筒の上面を下方に付勢する弾性部を備え、該弾性部は周方向所定位置で上記鏡筒を付勢する押圧部を有し、上記鏡筒は上記突起部が上記本体段差部に当接する周方向位置において上記弾性部の押圧部に付勢される上面位置に上記本体段差部と略同じ高さの鏡筒段差部を備え、該鏡筒段差部により上記鏡筒が上下方向に動作しても上記押圧部の上下方向位置が不変となるようにしたことを特徴とするカメラモジュール。
【請求項２】
上記本体段差部と鏡筒段差部は略同角度の傾斜面により構成されてなることを特徴とする請求項１記載のカメラモジュール。
【請求項３】
上記鏡筒は周面に切替レバーが設けられていることを特徴とする請求項１または２記載のカメラモジュール。
【請求項４】
上記弾性部は複数の押圧部を有し、上記鏡筒段差部は上記突起部が上記本体段差部に当接する上記鏡筒の周方向位置において各押圧部に付勢される位置にそれぞれ形成されることを特徴とする請求項１〜３のいずれか１項に記載のカメラモジュール。
【請求項５】
上記本体部には上面及び側面を覆う金属板材からなるカバー部材が設けられ、該カバー部材の上面に上記弾性部が一体的に形成されていることを特徴とする請求項１〜４のいずれか１項に記載のカメラモジュール。
【発明の詳細な説明】
【技術分野】
【０００１】
本発明は、通常撮影モードとマクロ撮影モードを切替レバーの操作により切替えることのできるカメラモジュールに関し、特に切替レバーの操作により上下動作する鏡筒を弾性部材により付勢して高さ位置を安定させるカメラモジュールに関する。
【背景技術】
【０００２】
従来から、通常撮影モードとマクロ撮影モードを切替可能なカメラモジュールが知られており、このようなカメラモジュールにおいてはモードの切替に応じてレンズの焦点調整を行うレンズ調整機構を備えている。このレンズ調整機構は、固定された本体部に段差部を設けると共に、レンズを納めた鏡筒の底面に段差部を摺動自在なカム部を設けて構成され、鏡筒側に設けられた切替レバーの操作に応じてカム部が段差部を摺動することによって鏡筒が上下方向に動作し、これによってレンズが光軸方向に移動し通常撮影位置とマクロ撮影位置とを切替えることができるようにされている。このようなカメラモジュールとしては、例えば特許文献１にその構成が開示されている。
【特許文献１】特開２００３−３３７２７９号公報
【発明の開示】
【発明が解決しようとする課題】
【０００３】
このようにレンズを納めた鏡筒が本体部に対して上下動作するため、鏡筒の上下方向位置を安定させるために、鏡筒は上面をバネによって下方に向かって付勢されている。バネは鏡筒が上下いずれの位置にあっても付勢するため、鏡筒の上下動作に伴ってかかる荷重が変動していた。しかし、動作の度にバネにかかる荷重が変化すると、バネの耐久性に影響があり、寿命が短くなる。
【０００４】
本発明は上記課題を鑑みてなされたものであり、鏡筒の位置安定のためのバネに対して常に一定の荷重がかかるようにして長寿命化を図ったカメラモジュールを提供することを目的とする。
【課題を解決するための手段】
【０００５】
上記課題を解決するため、本発明に係るカメラモジュールは、レンズを納めた鏡筒と、該鏡筒を収容する本体部とを有し、上記鏡筒は上記本体部に対する周方向の回転に伴って上記レンズの光軸方向に移動可能なカメラモジュールにおいて、
上記本体部は底部上面に本体段差部を備え、上記鏡筒は底面に突起部を備えると共に、回転動作に伴って上記突起部が上記本体段差部に沿って移動することで上記鏡筒が上下方向に動作自在とされ、
上記本体部は上記鏡筒の上面を下方に付勢する弾性部を備え、該弾性部は周方向所定位置で上記鏡筒を付勢する押圧部を有し、上記鏡筒は上記突起部が上記本体段差部に当接する周方向位置において上記弾性部の押圧部に付勢される上面位置に上記本体段差部と略同じ高さの鏡筒段差部を備え、該鏡筒段差部により上記鏡筒が上下方向に動作しても上記押圧部の上下方向位置が不変となるようにしたことを特徴として構成されている。
【０００６】
また、本発明に係るカメラモジュールは、上記本体段差部と鏡筒段差部は略同角度の傾斜面により構成されてなることを特徴として構成されている。
【０００７】
さらに、本発明に係るカメラモジュールは、上記鏡筒は周面に切替レバーが設けられていることを特徴として構成されている。
【０００８】
さらにまた、本発明に係るカメラモジュールは、上記弾性部は複数の押圧部を有し、上記鏡筒段差部は上記突起部が上記本体段差部に当接する上記鏡筒の周方向位置において各押圧部に付勢される位置にそれぞれ形成されることを特徴として構成されている。
【０００９】
そして、本発明に係るカメラモジュールは、上記本体部には上面及び側面を覆う金属板材からなるカバー部材が設けられ、該カバー部材の上面に上記弾性部が一体的に形成されていることを特徴として構成されている。
【発明の効果】
【００１０】
本発明に係るカメラモジュールによれば、鏡筒は突起部が本体段差部に当接する周方向位置において弾性部の押圧部に付勢される上面位置に本体段差部と略同じ高さの鏡筒段差部を備え、この鏡筒段差部により鏡筒が上下方向に動作しても押圧部の上下方向位置が不変となるようにしたことにより、鏡筒が上下動作しても弾性部の押圧部を変位させないようにすることができるので、弾性部の劣化を防ぎその寿命を長くすることができる。
【００１１】
また、本発明に係るカメラモジュールによれば、本体段差部と鏡筒段差部は略同角度の傾斜面により構成されてなることにより、鏡筒をスムーズに上下動作させることができると共に、上下動作時の衝撃を少なくできて弾性部にかかる負荷も小さくすることができる。
【００１２】
さらに、本発明に係るカメラモジュールによれば、鏡筒は周面に切替レバーが設けられていることにより、切替レバーにより容易に鏡筒を回転動作させることができる。
【００１３】
さらにまた、本発明に係るカメラモジュールによれば、弾性部は複数の押圧部を有し、鏡筒段差部は突起部が本体段差部に当接する鏡筒の周方向位置において各押圧部に付勢される位置にそれぞれ形成されることにより、安定的に鏡筒を付勢することができる。
【００１４】
そして、本発明に係るカメラモジュールによれば、本体部には上面及び側面を覆う金属板材からなるカバー部材が設けられ、カバー部材の上面に弾性部が一体的に形成されていることにより、モジュールの電磁波シールドを低コストかつ容易に取付けることができる。
【発明を実施するための最良の形態】
【００１５】
本発明の第１の実施形態について図面に沿って詳細に説明する。図１には本実施形態におけるカメラモジュールの分解斜視図を示している。この図に示すように本実施形態におけるカメラモジュールは、平面状の基板１上に内部が中空状の本体部２が配置され、本体部２内にはカム部材３と鏡筒本体部４とレバー部材５とからなる鏡筒７が回転自在に収容されると共に、その上部には弾性板６が設けられてなるものである。
【００１６】
基板１の上面には撮像素子１２が配置される。撮像素子２は、光電変換素子を平面上に多数集積してなるものであって、撮影対象からの光をカメラモジュールの光学系を介して受光し、画像データとして出力するものである。また、本体部２の底面にはフィルタ１１が配置される。フィルタ１１はいわゆるＩＲフィルタであり、光学系からの光のうち赤外線を除去するために設けられている。
【００１７】
本体部２の底面の外周側は、周方向に沿って一段高く形成された外周レール面２０を有し、鏡筒７の底面に形成された突起部３０が外周レール面２０に当接するようにされている。さらに、本体部２の周面となる壁面には、開口部２４が形成されており、鏡筒７に設けられた切替レバー５０を外方に突出させる。また開口部２４は、突出した切替レバー５０を左右に操作することができるように横長に形成されている。
【００１８】
鏡筒７を構成するカム部材３は筒状に形成されており、下面に突起部３０を有している。突起部３０の下端部は、本体部２の外周レール面２０上に当接し、鏡筒７が本体部２に対して回転動作する際には、外周レール面２０に沿って移動する。また、カム部材３の上面には周方向４か所に切欠状の被係合部３１が形成されており、レバー部材５の係合部５２と係合するようにしている。
【００１９】
鏡筒本体部４は、内部にレンズ１０が納められており、外周面がカム部材３の内周面に嵌合し固定される。また、レバー部材５は、略リング状に形成されると共に、外周面に外方に向かって突出する切替レバー５０を有している。また、レバー部材５の上面には複数の鏡筒段差部５１が形成されている。さらに、レバー部材５の下面には係合部５２が形成されており、カム部材３の上面に形成される被係合部３１と係合することで、レバー部材５はカム部材３に固定される。
【００２０】
弾性板６は金属製の板からなり、中央部は円形に切欠かれ、その周囲部は周方向に沿って４か所が同心弧状に切欠かれていることで、弾性を有した細幅のバネ部６０が形成されている。このバネ部６０は、いずれも下方に向かって折り曲げられており、中央部が最下点とされて押圧部６１を形成している。押圧部６１は鏡筒７を構成するレバー部材５の上面を押圧して、鏡筒７を下方に付勢する。また、弾性板６には、その四隅近傍にそれぞれ固定孔６２が形成されており、これが本体部２の上面に形成される弾性板固定部２５に嵌合することで、弾性板６は本体部２に固定される。
【００２１】
図２には、本体部２と鏡筒７が組立てられた状態を表す斜視図を示している。この図においては、本体部２の壁面部分については省略している。本体部２の底面には、上述のように外周レール面２０が周方向に沿って形成されている。この外周レール面２０には、本体段差部２１が形成されており、上段と下段の間は傾斜面２１ａにより構成されている。
【００２２】
外周レール面２０に当接する鏡筒７の突起部３０は、切替レバー５０の操作による鏡筒７の回転動作に伴い、本体段差部２１に沿って上段と下段の間を移動する。これによって鏡筒７は上下方向に動作し、鏡筒本体部４内に納められたレンズ５と本体部２内に配置された撮像素子２との距離を変化させることで、通常撮影モードとマクロ撮影モードとを切替えるようにしている。
【００２３】
一方で鏡筒７の上面は、上述のように弾性板６の押圧部６１により複数箇所を付勢されると共に、鏡筒段差部５１を有している。鏡筒段差部５１は、鏡筒７の本体部２に対する位置が、突起部３０が本体段差部２１に当接する周方向位置にあるときに、押圧部６１の付勢位置となるように配置されている。また、鏡筒段差部５１は上段と下段の間を傾斜面５１ａによって構成されている。
【００２４】
図２では、鏡筒７の突起部３０が外周レール面２０の上段側に配置された状態を示しており、この状態において鏡筒７は、図中矢印で示す上面の下段位置でバネ部６０の押圧部６１に押圧されている。切替レバー５０の操作により鏡筒７を回転動作させると、突起部３０は本体段差部２１の傾斜面２１ａを介して外周レール面２０の下段側に移動し、それに伴って鏡筒７は下方に移動する。それと同時に鏡筒７上面における押圧部６１による付勢位置は、鏡筒段差部５１の傾斜面５１ａを介して上段側に移動する。この状態から切替レバー５０を操作して逆方向に鏡筒７を回転動作させると、逆方向に同様の動作がなされる。すなわち、鏡筒７は上方に移動し、鏡筒７上面における押圧部６１による付勢位置は下段側に移動する。
【００２５】
このように、鏡筒７の上下方向の動作に伴ってバネ部６０の押圧部６１による付勢位置が上下するように鏡筒段差部５１を形成していることにより、押圧部６１による付勢の上下方向位置を不変とすることができるので、鏡筒７の上下動作に伴ってバネ部６０が変位することがなく、バネ部６０の劣化を防いで寿命を長くすることができる。
【００２６】
図３には、カメラモジュールの側面図を示している。この図では本体部２の壁面のうち手前側の一面を省略して示している。また、この図は鏡筒７が本体部２内において下側にある状態を示している。この図に示すように、鏡筒７の突起部３０が本体部２の外周レール面２０の下段側にあるときには、バネ部６０の押圧部６１は、鏡筒７の上面の上段側に接触し押圧している。
【００２７】
図４はカメラモジュールの側面図であって、鏡筒７が本体部２内において上側にある状態を示した図である。この図も図３と同様、本体部２の壁面のうち手前側の一面を省略して示している。この図に示すように、図３の状態から切替レバー５０の操作により鏡筒７が回転すると、突起部３０が本体段差部２１を介して本体部２の外周レール面２０の上段側に移動し、それと共にバネ部６０の押圧部６１は、鏡筒段差部５１を介して鏡筒７の上面の下段側に接触し押圧した状態となる。
【００２８】
本体部２の本体段差部２１と鏡筒７の鏡筒段差部５１及び鏡筒７の突起部３０との配置関係を上述のようにすることにより、バネ部６０の押圧部６１による鏡筒７の付勢位置は、鏡筒７の動作前後において上下方向に不変とすることができる。また、本体段差部２１と鏡筒段差部５１は、いずれも略同形状の滑らかな傾斜面２１ａ、５１ａにより構成されているので、鏡筒７の上下動作をスムーズに行うことができる。
【００２９】
次に、本発明の第２の実施形態について説明する。図５には本実施形態におけるカメラモジュールの分解斜視図を示している。本実施形態のカメラモジュールは、本体部２及び鏡筒７の構成は第１の実施形態と同様である。したがってその説明は省略する。本実施形態では、鏡筒７の上面と本体部２の側面を覆うようにカバー部材８を設けている。
【００３０】
カバー部材８は、金属板からなり、上面は第１の実施形態における弾性板６と同様に構成されている。すなわち、中央部は円形に切欠かれ、その周囲部は周方向に沿って４か所が同心弧状に切欠かれていることで、弾性を有した細幅のバネ部８０が形成されている。このバネ部８０は、いずれも下方に向かって折り曲げられており、中央部が最下点とされて押圧部８１を形成している。押圧部８１は鏡筒７を構成するレバー部材５の上面を押圧して、鏡筒７を下方に付勢する。また、カバー部材８の上面には、その四隅近傍にそれぞれ固定孔８２が形成されており、これが本体部２の上面に形成される弾性板固定部２５に嵌合することで、カバー部材８は本体部２に固定される。
【００３１】
カバー部材８は上面部分と一体的に側面部８３を有している。側面部８３は、カバー部材８の側面を略覆うように形成されており、鏡筒７の切替レバー５０が配置される部分については切欠かれた開口部８４が形成されている。このように金属板からなるカバー部材８で鏡筒７の上面と本体部２の側面を略覆うことにより、カメラモジュールの電磁波シールドを低コストかつ容易に取付けることができる。
【００３２】
以上、本発明の実施形態について説明したが、本発明の適用はこれら実施形態に限られるものではなく、その技術的思想の範囲内において様々に適用されうるものである。
【図面の簡単な説明】
【００３３】
【図１】第１の実施形態におけるカメラモジュールの分解斜視図である。
【図２】本体部と鏡筒を組立てた状態の斜視図である。
【図３】カメラモジュールの側面図であって鏡筒が下側にある状態の図である。
【図４】カメラモジュールの側面図であって鏡筒が上側にある状態の図である。
【図５】第２の実施形態におけるカメラモジュールの分解斜視図である。
【符号の説明】
【００３４】
１    基板
２    本体部
３    カム部材
４    鏡筒本体部
５    レバー部材
６    弾性板
７    鏡筒
８    カバー部材
１０    レンズ
１１    フィルタ
１２    撮像素子
２０    外周レール面
２１    本体段差部
２１ａ  傾斜面
３０    突起部
５０    切替レバー
５１    鏡筒段差部
５１ａ  傾斜面
６０    バネ部
６１    押圧部
【図１】
2007140243.tif 000003
【図２】
2007140243.tif 000004
【図３】
2007140243.tif 000005
【図４】
2007140243.tif 000006
【図５】
2007140243.tif 000007